(57)【要約】【課題】暗室においてもオペレータの安全性を向上させ、容易かつ正確にコントロールストリップを裁断できる装置を提供する。【解決手段】本発明の裁断装置１は、搬送方向に沿って形成された複数のノッチ４ｃを有するコントロールストリップ４を裁断する裁断装置であって、コントロールストリップ４を搬送する搬送ローラ対８と、ノッチ４ｃを検出してコントロールストリップ４の搬送を停止させる第１ノッチ検出部６と、搬送の停止したコントロールストリップ４を所定の位置で切断するカッタ７とを備えている。【選択図】図１
2007322573.tif 000002
【特許請求の範囲】
【請求項１】
搬送方向に沿って形成された複数の切欠きを有するコントロールストリップを裁断する裁断装置であって、
前記コントロールストリップを搬送する搬送部と、
前記切欠きを検出して前記コントロールストリップの搬送を停止させる第１切欠き検出部と、
前記搬送の停止した前記コントロールストリップを所定の位置で切断する切断部と、
を備えている、裁断装置。
【請求項２】
前記搬送されてくる前記コントロールストリップを格納する巻き取り部と、
前記第１切欠き検出部よりも前記搬送方向における下流側に配置されており、前記切断された前記コントロールストリップにおける前記切欠きを検出して、前記巻き取り部を停止させる第２切欠き検出部と、
をさらに備えている、請求項１に記載の裁断装置。
【請求項３】
前記巻き取り部および前記搬送部の駆動機構が互いに連結されている、
請求項２に記載の裁断装置。
【請求項４】
前記巻き取り部は、前記コントロールストリップを巻き込むための先端巻き込み機構を有する、
請求項２または３に記載の裁断装置。
【請求項５】
前記搬送部を駆動させる手動搬送部をさらに備えている、
請求項１から４のいずれか１項に記載の裁断装置。
【発明の詳細な説明】
【技術分野】
【０００１】
本発明は、写真処理装置などで用いられるコントロールストリップを裁断する装置に関する。
【背景技術】
【０００２】
画像情報を感光材料に現像するために現像液が用いられる写真処理装置などでは、現像液の状態によって現像結果が左右されることから、現像液の活性状況を定期的に確認、管理するための作業が行われる。この作業では、基準となるリファレンスストリップの濃度値と、活性状況を管理する現像液により現像されたコントロールストリップの濃度値とを比較して判断する（例えば、特許文献１参照）。
【０００３】
通常、コントロールストリップはロール状に巻かれた形で提供され、オペレータは管理作業を行う度に、使用するワンカット分を切り取ってカートリッジに詰め替えていた。また、この切り取り作業は、コントロールストリップに光が照射しないように暗室や暗箱内で行われていた。
【特許文献１】特開２００３−２４１３５６号公報（平成１５年８月２７日公開）
【発明の開示】
【発明が解決しようとする課題】
【０００４】
しかしながら、上記従来の切り取り作業では、以下に示すような問題点を有している。
通常、現像液の管理作業を行う度に、ロール状のコントロールストリップからワンカット分を切り取る必要がある。この切り取り作業は、コントロールストリップに誤って光が照射しないように、暗室や暗箱内で行われる。つまり、オペレータは、暗室内で手探りでハサミを使用したり、引きちぎったりして作業を行っていたため、安全面に問題があった。また、目視確認ができないため、コンロールストリップを正確に切断できない場合や、コントロールストリップ自体にダメージを与える場合もあった。
【０００５】
そこで、本発明は、上記課題を解決し、暗室においてもオペレータの安全性を向上させ、容易かつ正確にコントロールストリップを裁断できる装置を提供することにある。
【課題を解決するための手段】
【０００６】
第１の発明に係る裁断装置は、搬送方向に沿って複数の切欠きを有するコントロールストリップを裁断する裁断装置であって、搬送部と、第１切欠き検出部と、切断部とを備えている。搬送部は、コントロールストリップを搬送する。第１切欠き検出部は、切欠きを検出してコントロールストリップの搬送を停止させる。切断部は、搬送の停止したコントロールストリップを所定の位置で切断する。
【０００７】
ここでは、現像液の活性状況を確認、管理するために用いられるコントロールストリップの裁断装置について示す。なお、この裁断装置は、手動もしくは電動の装置であってもよい。
通常、現像液の管理作業に用いられるワンカット分のコントロールストリップを切り取る際には、オペレータが暗袋内でハサミを使用したり、引きちぎったりして手探りで作業を行っていたため、安全面に問題があった。また、切断が正確に行われない場合もあった。
【０００８】
上記課題を考慮して、本発明では、コントロールストリップの裁断を行う装置を提案する。この装置では、ワンカット分を正確に切り取るために、搬送部により搬送されてくるコントロールストリップの切り取り位置を切断部に対して正確に位置決めする必要がある。そこで、コントロールストリップの搬送方向に沿って形成されている切欠き（ノッチ）を利用する。この切欠きには、例えば、Ｕノッチなどが含まれ、通常は１回の管理作業で必要なワンカット分ごとに設けられる。具体的には、第１切欠き検出部を設けて、搬送部により搬送されてくるコントロールストリップの切欠きが検出されると、その時点でコントロールストリップの進行を停止させる。そして、搬送が停止した後、コントロールストリップは、切断部によりワンカット分の長さに対応した所定の位置で切断される。
これにより、オペレータが暗室で作業をする必要がなくなる。また、コントロールストリップを容易かつ正確に切断可能になる。
従って、安全で、作業効率のよい裁断装置を提供できる。
【０００９】
第２の発明に係る裁断装置は、第１の発明に係る裁断装置であって、巻き取り部と、第２切欠き検出部とをさらに備えている。巻き取り部は、搬送されてくるコントロールストリップを格納する。第２切欠き検出部は、第１切欠き検出部よりも搬送方向における下流側に配置されており、切断されたコントロールストリップにおける切欠きを検出して、巻き取り部を停止させる。
【００１０】
ここでは、切断したコントロールストリップを管理作業に速やかに使用できるような形に格納する機構をさらに備えている、裁断装置について示す。
通常、コントロールストリップは、複数回分が連なったロール状の形で提供される。そのため、オペレータは、管理作業を行う度に使用するワンカット分を切断した後、それをカートリッジなどに詰め替えていた。しかし、この作業も暗袋内で行う必要があるため、オペレータの安全性や作業性に問題があった。
【００１１】
そこで、コントロールストリップをワンカット分切断後、さらに搬送を続けて、巻き取り部に格納する機構を設ける。さらに、格納が終了した後に空回りし続けるのを防ぐために、巻き取り部を停止させる。具体的には、第２切欠き検出部を設けて、搬送されてくるワンカット分のコントロールストリップにおける切欠きを検出し、その時点で巻き取り部の駆動を停止させる。
これにより、切断したコントロールストリップをすぐに管理作業に用いることができる。
従って、作業効率の向上した裁断装置を提供できる。
【００１２】
第３の発明に係る裁断装置は、第２の発明に係る裁断装置であって、巻き取り部および搬送部の駆動機構が互いに連結されている。
【００１３】
ここでは、巻き取り部および搬送部の関係について示す。
巻き取り部の駆動が停止すると、これはワンカット分のコントロールストリップの格納が終了したことを意味しているため、同時に搬送部の駆動も停止することが好ましい。
そこで、オペレータを煩わせることなく装置を停止させるために、巻き取り部および搬送部の駆動機構をリンクさせる構成とし、巻き取り部の駆動を搬送部にも伝達させる。
これにより、効率よくコントロールストリップの格納を行うことができる。
従って、さらに作業効率の向上した裁断装置を提供できる。
【００１４】
第４の発明に係る裁断装置は、第２または第３の発明に係る裁断装置であって、巻き取り部は、コントロールストリップを巻き込むための先端巻き込み機構を有する。
ここでは、巻き取り部の構成について示す。
【００１５】
巻き取り部において、コントロールストリップの格納をスムーズに行うためには、まず、巻き取り部に搬送されてくるコントロールストリップの先端部を巻き取る必要がある。しかし、コントロールストリップが有する巻癖などにより、先端部を常に正しく巻き取れるとは限らない。
そこで、巻き取り部に先端巻き込み機構を設けて、先端部を正確に捕らえるために、例えば、先端部を噛みこむような構成とする。
これにより、コントロールストリップの格納作業を効率よく進めることができる。
従って、管理作業に適したコントロールストリップを効率よく格納できる裁断装置を提供できる。
【００１６】
第５の発明に係る裁断装置は、第１から第４のいずれか１つの発明に係る裁断装置であって、搬送部を駆動させる手動搬送部をさらに備える。
【００１７】
ここでは、裁断装置の駆動方法について示す。
コントロールストリップの切断の際には、コントロールストリップに光が被らないように完全に光を遮断した状態を保つ必要がある。また、その使用態様から、裁断装置は、できるだけ簡易な構成でかつコストを抑えることが好ましい。しかし、電気駆動の裁断装置とすると、例えば、電気系統の接点からの僅かな発光や機材の表示ランプ光などにより、コントロールストリップが感光してしまう虞がある。また、電気駆動では、配線、電源、あるいは電池の交換などを考慮する必要があるため、構成が複雑でかつコストが増大することになる。
【００１８】
そこで、手動でコントロールストリップの搬送および切断などを操作可能な無電源装置を提案する。具体的には、裁断装置に手動搬送部を設けて、オペレータが手動搬送部を操作することで装置を駆動する。
これにより、電気を使用することなく、簡易な構成でコントロールストリップを切断することができる。
【００１９】
従って、容易に暗室状態を維持可能で、低コストの裁断装置を提供できる。
【発明の効果】
【００２０】
第１の発明に係る裁断装置によれば、安全で、高い切断精度を有する裁断装置を提供できる。
第２の発明に係る裁断装置によれば、作業効率の向上した裁断装置を提供できる。
第３の発明に係る裁断装置によれば、さらに作業効率の向上した裁断装置を提供できる。
【００２１】
第４の発明に係る裁断装置によれば、管理作業に適したコントロールストリップを効率よく格納できる裁断装置を提供できる。
第５の発明に係る裁断装置によれば、容易に暗室状態を維持可能で、低コストの裁断装置を提供できる。
【発明を実施するための最良の形態】
【００２２】
本発明の一実施形態に係る裁断装置１について、図１〜図４を用いて説明すれば以下の通りである。なお、本実施形態において、「上流側」および「下流側」とは、それぞれコントロールストリップの搬送方向における上流および下流を意味する。また、「前段」および「後段」とは、それぞれコントロールストリップの搬送方向における前側部分および後側部分を意味する。
【００２３】
［裁断装置１の構成］
本発明の一実施形態に係る裁断装置１は、図１（ａ）に示すように、いわゆる無電源の手動裁断装置である。
裁断装置１は、暗箱Ａと、暗箱Ｂとを備えている。
［暗箱Ａの構成］
暗箱Ａは、図１（ａ）に示すように、内部に、コントロールストリップ（以下、コンストと称す）４と、コンストロール５と、第１ノッチ検出ピン（第１切欠き検出部）６と、カッタ（切断部）７と、搬送ローラ対（搬送部）８とを有している。また、図１（ｂ）に示すように、装置外部に突出した手動ハンドル（手動搬送部）１２を有している。
【００２４】
コンスト４は、メーカーから未現像の状態で供給される。ただし、図２に示すように、画像パターン４ａおよびスヌケパターン４ｂが潜像として形成されている。これらの像は、現像液の管理作業に際して、コンスト４の現像処理基準として使用される、図示しないリファレンスストリップの現像済み画像と同じものである。実際の現像液の管理作業は、コンスト４の現像結果と、リファレンスストリップの現像済み画像とを比較して行われる。さらに、コンスト４は、搬送方向に沿って半円形のノッチ（切欠き）４ｃを複数有する。これらのノッチ４ｃは、ワンカット分のフィルムの長さを示すために所定間隔ごとに設けられる。
【００２５】
コンストロール５は、複数回の管理作業分（ワンカット分）のコンスト４が連なったフィルムをロール状に巻いたもの（通常、４０回から５０回分を含む）であり、暗室Ａ内の最上流側に設置される。
第１ノッチ検出ピン６は、図１に示すように、コンストロール５の直下流側に配置される。また、第１ノッチ検出ピン６の先端部はテーパ形状を有しており、テーパの先端が搬送経路に接触するように配置される。すなわち、コンスト４は、初めに搬送されてくるとテーパ面に接触し、さらにそのまま進行して第１ノッチ検出ピン６を僅かに持ち上げる。コンスト４は、その隙間を通過してさらに搬送されていく。コンスト４が隙間を通過している間、第１ノッチ検出ピン６はコンスト４表面に接触した状態となる。さらにコンスト４が進行してノッチ４ｃが第１ノッチ検出ピン６の位置にくると、第１ノッチ検出ピン６は自重落下してノッチ４ｃの存在を検出する。また、第１ノッチ検出ピン６がノッチ４ｃに嵌まり込むことで、コンスト４の搬送の抵抗となって後述の搬送ローラ対８の回転が停止する。その結果、搬送ローラ対８と連結された後述の手動ハンドル１２にも搬送ローラ対８の回転駆動の停止が伝達されるため、手動ハンドル１２を操作しているオペレータは、コンスト４が所定の切断位置に到達したことを把握することができる。
【００２６】
カッタ７は、第１ノッチ検出ピン６の直下流側に配置され、停止したコンスト４を所定の位置で切断する。カッタ７としては、例えば、押し切りカッタを用いることができる。また、カッタ７の駆動は、コンスト４が所定の切断位置に到達したことを把握したオペレータにより、図示しない専用の手動レバーを用いて行う。なお、搬送が停止した際にコンスト４の所定の切断位置がカッタ７の位置に来るように、カッタ７や上記第１ノッチ検出ピン６の位置は、適宜最適になるように構成される。
【００２７】
搬送ローラ対８は、カッタ７の直下流側に配置され、搬送ローラ８ａと、搬送ローラ８ｂとを含む。これらのローラ８ａ，８ｂが、図１（ａ）に示す矢印方向に回転することで、搬送されてきたコンスト４を挟み込んでさらに下流側へと押し出す。
手動ハンドル１２は、図１（ｂ）に示すように、平面視において裁断装置１の外部に突出して設けられており、排出ローラ対８と連結されている。オペレータが手動ハンドル１２を回転させることにより、コンスト４を挟み込んだ排出ローラ対８が回転し、コンスト４の搬送を行うことができるように構成される。
【００２８】
［暗箱Ｂの構成］
暗箱Ｂは、図１（ａ）に示すように、内部に、第２ノッチ検出ピン（第２切欠き検出部）９と、巻き取りカートリッジ（巻き取り部）１０と、ギア部３（図４参照）とを有している。
第２ノッチ検出ピン９は、上記カッタ７の直下流側に配置され、第１ノッチ検出ピン６と同様の形状を有する。第２ノッチ検出ピン９は、第１ノッチ検出ピン６と同様の機構により、切断されたコンスト４の後段のノッチ４ｃ（ここでは、第１ノッチ検出ピン６により検出されたものと同じノッチ４ｃ）に嵌まり込んでノッチ４ｃの存在を検出する。
【００２９】
巻き取りカートリッジ１０は、裁断装置１の最下流側に配置され、搬送されてきたコンスト４を巻き取って格納する。巻き取りカートリッジ１０は、図３に示すように、カバー５１と、ガイド板５２と、先端巻き込みローラ（先端巻き込み機構）１１と、巻芯２とを主に含む。
カバー５１は、開閉自在なように構成される。
【００３０】
ガイド板５２は、カバー５１を半開きにした状態において、カバー５１とガイド板５２との隙間に向かって搬送されてきたコンスト４を、巻き取りカートリッジ１０内にガイドする役割を果たす。
先端巻き込みローラ１１は、巻き取りカートリッジ１０内に搬送されてきたコンスト４の先端部を捕らえる位置に配置される。先端巻き込みローラ１１がコンスト４の先端部を挟み込んで後述の巻芯２に圧着させることにより、コンスト４の先端部が巻芯２に固定される。
【００３１】
巻芯２は、手動ハンドル１２の回転に伴って回転し、巻き取りカートリッジ１０内にコンスト４を巻き取っていく。巻芯２には、コンスト４の先端部を固定して密に巻き取り易くするために、摩擦抵抗のあるゴムが巻かれている。なお、ゴムの代わりにウレタン系樹脂などを使用してもよい。
ギア部３は、図４に示すように、複数のギアを有しており、巻き取りカートリッジ１０および搬送ローラ対８と連結して、巻き取りカートリッジ１０の駆動を搬送ローラ対８に伝達する。なお、ギア部３の代わりにベルトなどを使用して駆動を伝達させてもよい。
［裁断装置１の動作］
以下に、暗室下において、ワンカット分のコンスト４を切断し、かつ巻き取りカートリッジ１０に格納する場合の裁断装置１の動作について説明する。
【００３２】
裁断装置１には、暗室状態を保ったまま、コンストロール５からコンスト４の先端部を引き出して、搬送ローラ対８に挟み込ませるようにコンスト４がセットされる。
まず、オペレータが手動ハンドル１２を回すと、排出ローラ対８が駆動回転してコンスト４をコンストロール５から引き出しながらさらに下流側に搬送する。
コンスト４の先端部が巻き取りカートリッジ１０に到達すると、先端巻き込みローラ１１がコンスト４の先端部を挟み込んで巻芯２に圧着して固定させる。その状態で、手動ハンドル１２の回転に伴って巻芯２が回転することにより、巻き取りカートリッジ１０におけるコンスト４の巻取りが開始される。
【００３３】
さらに、裁断装置１の上流側では、コンスト４が進行してノッチ４ｃが第１ノッチ検出ピン６の位置にくると、第１ノッチ検出ピン６が自重落下してノッチ４ｃに嵌まり込むことでコンスト４の搬送の抵抗となり、コンスト４の進行を停止させて搬送ローラ対８の回転を停止させる。この時点で、搬送ローラ対８と連結されている手動ハンドル１２も停止して、オペレータにコンスト４が所定の切断位置に到達したことを知らせる。
【００３４】
次に、オペレータが図示しない手動レバーを押し下げることで、カッタ７によりその位置においてコンスト４が切断される。なお、コンスト４の切断と巻き取りとは、開始順序が逆になってもよい。
コンスト４の切断が終了すると、ノッチ４ｃに嵌まり込んだ第１ノッチ検出ピン６が元の位置に戻る。この場合、第１ノッチ検出ピン６を元の位置に戻すために、手動レバーなどを操作するものであればよい。
【００３５】
この後、再度手動ハンドル１２が操作されて、コンスト４の残り後段部分の巻取りが再開される。
さらに、コンスト４が搬送されていくと、第１ノッチ検出ピン６の動作と同様に、第２ノッチ検出ピン９がノッチ４ｃに嵌まり込み、コンスト４の搬送の抵抗となって、コンスト４の進行を停止させる。そのため、コンスト４の後段を所定の長さ分だけ巻き取りカートリッジ１０外に残した状態で、巻き取りカートリッジ１０の回転駆動が停止する。同時に、第２ノッチ検出ピン９の先端が、巻き取りカートリッジ１０と搬送ローラ対８とを連結しているギア部３の歯部に嵌まり込むことにより、搬送ローラ対８の搬送駆動も停止する。なお、搬送ローラ対８の搬送駆動を停止させるために、第２ノッチ検出ピン９の駆動と連動したピンなどをさらに設けて、このピンなどをギア部３の歯部に嵌まり込ませてもよい。
【００３６】
上記巻き込みおよび搬送駆動が停止すると、コンスト４の後段を定寸分巻き取りカートリッジ１０外に残した状態で、コンスト４の巻き込みを終了する。
［本裁断装置１の特徴］
（１）
裁断装置１は、コンスト４を挟み込んで搬送する搬送ローラ対８と、ノッチ４ｃを検出してコンスト４の搬送を停止させる第１ノッチ検出ピン６と、搬送の停止したコンスト９を所定の位置で切断するカッタ７とを備えている。
【００３７】
これは、コンスト４に元々設けられているノッチ４ｃを利用して、ワンカット分のコンスト４を適切な切断位置で精度よく切断し、オペレータに提供できるものである。
従来、管理作業に使用されるコンスト４は、オペレータが暗室内で手探りで切断して準備していたため、安全性、切断の正確性に欠けるものであった。
本裁断装置の提案により、上記課題を解決し、オペレータの負担を軽減してコンスト４の準備を行うことが可能となる。
【００３８】
従って、安全で、作業効率のよい裁断装置を提供できる。
（２）
裁断装置１は、コンスト４を巻取り、格納する巻き取りカートリッジ１０と、切断されたコンスト４におけるノッチ４ｃを検出して、巻き取りカートリッジ１０を停止させる第２ノッチ検出ピン９とを備えている。第２ノッチ検出ピン９は、第１ノッチ検出ピン６よりも搬送方向における直下流側に配置される。
【００３９】
これにより、オペレータは、切断されたワンカット分のコンスト４をカートリッジに詰め替える作業を行う必要がなく、裁断装置１を使用した後すぐに現像液の管理作業に移ることができる。
従って、作業効率のよい裁断装置を提供できる。
（３）
裁断装置１においては、巻き取りカートリッジ１０および搬送ローラ対８の駆動機構がギア部３により互いにリンクされた構成を採る。
【００４０】
これにより、巻き取りカートリッジ１０の巻取り駆動が停止した際に、搬送ローラ対８の駆動も停止させることができる。
従って、不要な駆動をオペレータに行わせることなく、作業効率の向上した裁断装置を提供できる。
（４）
巻き取りカートリッジ１０は、コンスト４の先端巻き込みローラ１１を有し、コンスト４の先端部を先端巻き込みローラ１１に挟み込むような構成とする。
【００４１】
コンスト４の先端部が巻き取りカートリッジ１０に到達すると、初めに先端巻き込みローラ１１がコンスト４の先端部を挟み込んで、巻き取りカートリッジ１０におけるコンスト４の巻取りが開始される。
これにより、巻き取りカートリッジ１０内に搬送されてきたコンスト４の先端を正確に捕らえられる。
【００４２】
従って、暗室内で作業する場合でも、コンスト４の巻取りおよび格納をスムーズに行うことが可能な裁断装置を提供できる。
（５）
裁断装置１は、手動ハンドル１２を備え、オペレータは手動ハンドル１２を回転操作させて、コンスト４の搬送を行う。
【００４３】
コンスト４の切断および巻き取りの際には、暗室状態を保つ必要があるため、電気を使わないことが好ましい。また、裁断装置１は、できるだけ簡易な構成であることが好ましい。
そこで、手動で裁断装置１内を操作するための手動ハンドル１２を設ける。
これにより、電気を使わずにコンスト４の搬送および切断などを行うことが可能となる。
【００４４】
従って、簡易な構成でかつ暗室状態を維持可能な裁断装置を提供できる。
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、第１ノッチ検出ピン６を自重落下させてノッチ４ｃを検出する例を挙げて説明した。しかし、本発明はこれに限定されるものではない。
【００４５】
例えば、第１ノッチ検出ピン６をコンスト４のノッチ４ｃを有する側の１辺に接触させておき、ノッチ４ｃ部分になると、第１ノッチ検出ピン６が側方からノッチ４ｃに嵌まり込むものであってもよい。
これによっても、ノッチ４ｃを利用して、コンスト４を所定の切断位置で停止させることができるため、上記実施形態と同様の効果を得ることができる。
【００４６】
（Ｂ）
上記実施形態では、カッタ７が第１ノッチ検出ピン６の直下流側に配置される例を挙げて説明した。しかし、本発明はこれに限定されるものではない。
例えば、カッタ７を第１ノッチ検出ピン６の上流側に配置する、すなわち、両部材を上記実施形態と逆に配置するものであってもよい。
【００４７】
これによっても、ノッチ４ｃを利用して、コンスト４を所定の切断位置で停止させて、ワンカット分のコンスト４を得ることができるため、上記実施形態と同様の効果を得ることができる。
（Ｃ）
上記実施形態では、オペレータが手動ハンドル１２を操作することで、手動でコンスト４の搬送および切断などを操作する例を挙げて説明した。しかし、本発明はこれに限定されるものではない。暗室状態を維持して、精度よくワンカット分のコンスト４を切断できるのであれば、上記操作を自動で行う裁断装置であってもよい。
【００４８】
例えば、赤外線センサなどを用いてコンスト４の搬送状態を把握し、その結果を基に裁断装置内の制御を行う構成であってもよい。
これによっても、コンスト４を感光させてしまう発光などが生じるのを抑えて暗室内での作業が可能となるため、上記実施形態と同様の効果を得ることができる。
（Ｄ）
上記実施形態では、第１ノッチ検出ピン６の先端部がテーパ形状を有している例を挙げて説明した。しかし、本発明はこれに限定されるものではない。
【００４９】
先端部は、コンスト４の進行に抵抗のないような形状、例えば、流線形を有していてもよい。
これによっても、コンスト４が初めに搬送されてくる際に第１ノッチ検出ピン６を僅かに持ち上げることが可能であるため、上記実施形態と同様の効果を得ることができる。
（Ｅ）
上記実施形態では、コンスト４を搬送し、巻き取りカートリッジ１０によってコンスト４の前段を巻き取り中に一旦停止させて切断してから、残りの巻取りを再開する手順の例を挙げて説明した。しかし、本発明はこれに限定されるものではない。
【００５０】
裁断装置の構成などによっては、例えば、コンスト４を切断後に巻き取り駆動を開始するような構成であってもよい。
これによっても、上記実施形態と同様の効果を得ることができる。
（Ｆ）
上記実施形態では、コンスト４が所定の切断位置に到達したことを把握したオペレータにより手動でカッタ７を駆動する例を挙げて説明した。しかし、本発明はこれに限定されるものではない。
【００５１】
例えば、コンスト４の搬送が停止したことをセンサで検知するなどして、その結果を元に自動でカッタ７を駆動させて、コンスト４を所定の位置で切断する構成であってもよい。
これによっても、上記実施形態と同様の効果を得ることができる。
（Ｇ）
上記実施形態では、コンスト４の切断が終了すると、ノッチ４ｃに嵌まり込んだ第１ノッチ検出ピン６を元の位置に戻すために、手動レバーを操作するものであればよいとして説明した。しかし、本発明はこれに限定されるものではない。
【００５２】
例えば、第１ノッチ検出ピン６をカッタ７の駆動と連動させて元の位置に戻すものであってもよい。すなわち、オペレータがコンスト４をカッタ７で押し切った後、カッタ７が元の位置に戻る際に、第１ノッチ検出ピン６も連動して元の位置に引き上げられるような構成であってもよい。
これによっても、上記実施形態と同様の効果を得ることができる。
【００５３】
（Ｈ）
上記実施形態では、裁断装置１が、コンスト４の切断を主として行う暗室Ａと、巻き取りを主として行う暗室Ｂを備えている例を挙げて説明した。しかし、本発明はこれに限定されるものではない。
例えば、オペレータの安全性と精度よくワンカット分を切断するという観点から、暗室Ａのみを備えた裁断装置であってもよい。
【産業上の利用可能性】
【００５４】
本発明の裁断装置は、安全で正確な切断を行うことができ、作業効率を向上させるという効果を有するため、暗室にて裁断をする作業が必要な場合に広く適用可能である。
【図面の簡単な説明】
【００５５】
【図１】（ａ）本発明の一実施形態に係る裁断装置の構成を示す断面図、および（ｂ）裁断装置内のコントロールストリップの上面図。
【図２】コントロールストリップの形状を示す断面図。
【図３】巻き取りカートリッジの構成を示す図。
【図４】本発明の一実施形態に係る裁断装置の構成を示す断面図。
【符号の説明】
【００５６】
１      裁断装置
２      巻芯
３      ギア部
４      コントロールストリップ
５      コンストロール
６      第１ノッチ検出ピン（第１切欠き検出部）
７      カッタ（切断部）
８      搬送ローラ対（搬送部）
９      第２ノッチ検出ピン（第２切欠き検出部）
１０    巻き取りカートリッジ（巻き取り部）
１１    先端巻き込みローラ（先端巻き込み機構）
１２    手動ハンドル（手動搬送部）
５１    カバー
５２    ガイド板
【図１】
2007322573.tif 000003
【図２】
2007322573.tif 000004
【図３】
2007322573.tif 000005
【図４】
2007322573.tif 000006